(57)【要約】【課題】全体寸法を大型化することなく、簡易な構造で撮影倍率の異なる撮影が可能な携帯端末装置を提供することを課題とする。【解決手段】操作側筐体２に、外付けレンズ１１を有するカメラ用貫通部６ｂを設けるとともに、表示側筐体４にカメラユニット５を設け、このカメラユニット５の配置を、操作側筐体２及び表示側筐体４を互いに重ね合わせたときに外付けレンズ１１と対向するように配置する構成を採用した。【選択図】  図４
2004357223.tif 000002
【特許請求の範囲】
【請求項１】
一方の主面に主操作部を有する第１の筐体と、一方の主面に表示部を有する第２の筐体とが連結手段を介して開閉可能に連結され、前記主操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第１及び第２の筐体のいずれか一の筐体内には回転可能に配置されたカメラユニットを備え、当該カメラユニットの撮影窓を前記一の筐体の一方の主面及び他方の主面にそれぞれ向けることができると共に、前記第１及び第２の筐体のいずれか他の筐体には一方の主面から他方の主面に連通する貫通部と、該貫通部内に設けられた光学部材とを備え、前記貫通部は前記閉状態にて前記カメラユニットの撮影窓と対向する位置に配したことを特徴とする携帯端末装置。
【請求項２】
前記カメラユニットは、前記表示部を有する第２の筐体に備え、かつ前記貫通部は、前記操作部を有する第１の筐体に備えることを特徴とする請求項１に記載の携帯端末装置。
【請求項３】
前記主操作部を有する第１の筐体にはマイクロフォンを備えると共に、前記表示部を有する第２の筐体にはスピーカを備え、前記マイクロフォンの導音孔を前記貫通部に開口させ、前記第１の筐体の一方の主面側及び他方の主面側からの音をそれぞれ集音可能に構成したことを特徴とする請求項２に記載の携帯端末装置。
【発明の詳細な説明】
【０００１】
【発明の属する技術分野】
本発明は、カメラを備えた、携帯電話、ＰＨＳ、ＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
例えば下記特許文献１には、２つの筐体を連結し、これらのうちの一方の筐体にカメラユニットを回転可能に備えたカメラ付き携帯端末装置が開示されている。そして、このカメラ付き携帯端末装置によれば、２つの筐体を広げた状態と重ねて閉じた状態との何れの状態においても、カメラ撮影することが可能となっている。
また、下記特許文献２には、出没可能でかつ出没時には回転可能なカメラ部を備えた携帯テレビ電話が開示されている。そして、この携帯テレビ電話によれば、カメラ非使用時のカメラ部の保護、カメラ非使用時における不信感防止、カメラ部の回転による相手撮影／自分撮影などが可能となっている。
【０００３】
【特許文献１】
特開２００２−１１１８３５号公報
【特許文献２】
特開平１０−７５２８７号公報
【０００４】
【発明が解決しようとする課題】
しかしながら、この種の携帯端末装置は、ユーザー自身、または携帯端末装置を間に挟んで対面する被写体の何れかを撮影できるが、通常、この対面側の被写体は、ユーザー自身との距離よりも離れていることが多い。このような遠い被写体を撮影したときでも被写体の画像が小さくなってしまうのを防ぐためには、ズーム機構をカメラ部に備えることが考えられるが、その場合には、ズーム機構の装備によってやはり全体寸法が大型化するという問題を招来することになる。
また、上記特許文献１に記載のカメラ付き携帯端末装置は、カメラユニットが常に外部に露出するように構成する必要があることから、カメラユニットを有する側の筐体長さを、他方の筐体長さよりも長くしなければならず、その結果、全体寸法が長くなり、小型化が困難であるという問題を有していた。
【０００５】
本発明の目的は、上記事情に鑑みてなされたもので、全体寸法を大型化することなく、簡易な構造で撮影倍率の異なる撮影が可能な携帯端末装置を提供することにある。
【０００６】
【課題を解決するための手段】
本発明は、上記課題を解決するために以下の手段を採用した。
すなわち、請求項１に係る発明は、一方の主面に主操作部を有する第１の筐体と、一方の主面に表示部を有する第２の筐体とが連結手段を介して開閉可能に連結され、前記主操作部は閉状態にて前記第２の筐体により覆われ且つ開状態にて外側に露出させることができると共に、前記表示部は、閉状態及び開状態のいずれの状態でも外側に露出させることが可能な携帯端末装置であって、前記第１及び第２の筐体のいずれか一の筐体内には回転可能に配置されたカメラユニットを備え、当該カメラユニットの撮影窓を前記一の筐体の一方の主面及び他方の主面にそれぞれ向けることができると共に、前記第１及び第２の筐体のいずれか他の筐体には一方の主面から他方の主面に連通する貫通部と、該貫通部内に設けられた光学部材とを備え、前記貫通部は前記閉状態にて前記カメラユニットの撮影窓と対向する位置に配したことを特徴とする。
【０００７】
請求項２に係る発明は、請求項１に記載の携帯端末装置に前記カメラユニットを、前記表示部を有する第２の筐体に有すると共に、前記貫通部を、前記操作部を有する第１の筐体に有することを特徴とする。
【０００８】
請求項３に係る発明は、請求項２に記載の携帯端末装置において、前記主操作部を有する第１の筐体にマイクロフォンを備えると共に、前記表示部を有する第２の筐体にスピーカを備え、前記マイクロフォンの導音孔を前記貫通部に開口させ、前記第１の筐体の一方の主面側及び他方の主面側からの音をそれぞれ集音可能に構成したことを特徴とする。
【０００９】
なお、本発明において、筐体の主面とは、筐体を構成する互いの対向面の中で最も大きな面積を有する対向面のことで、この対向面のうちの一方の対向面を一方の主面、他方の対向面を他方の主面という。
【００１０】
【発明の実施の形態】
本発明の携帯端末装置の各実施形態についての説明を、図面を参照しながら以下に行うが、本発明がこれらのみに限定解釈されるものでないことは勿論である。以下の説明においては、携帯端末装置が携帯電話である場合を例に説明を行うものとする。まず、図１から図５を参照しながら、本発明の第１実施形態の説明を行う。
【００１１】
図１及び図２に示すように、本実施形態の携帯電話は、キーボタン（主操作部）１を有する操作側筐体（第１の筐体）２と、液晶ディスプレイ（表示部）３を有し、操作側筐体２に対して互いに重ね合わせまたは展開可能に連結された表示側筐体（第２の筐体）４と、表示側筐体４側に設けられたカメラユニット５とを備えて概略構成されている。
【００１２】
前記操作側筐体２は、ケース６と、このケース６の前面（一方の主面）６ａ側に露出するように配置された前記キーボタン１と、このキーボタン１で操作される制御回路を有するプリント基板７，８と、駆動源であるバッテリー９と、音声を集音するマイクロフォン１０と、後述のレンズ（光学部材）１１と、前記表示側筐体４が連結される回転軸１２とを備えて構成されている。
ケース６は、略平板状の外形を有しており、プリント基板７，８及びバッテリー９及びマイクロフォン１０及び外付けレンズ（光学部材）１１を内蔵している。そして、このケース６の下端部分には、その筐体２の厚み方向に貫くカメラ用貫通部（貫通部）６ｂが形成されている。
【００１３】
このカメラ用貫通部６ｂは、正面視して横長の長方形形状を有しており、ケース６の前面６ａ及び裏面（他方の主面）６ｃ間を連通するように形成されている。さらに、このカメラ用貫通部６ｂは、図５（ａ）に示すように前面６ａに垂直な断面で見た場合に、前記筐体２の厚み方向に沿ってストレートな連通部６ｂ１と、この平行部６ｂ１に連続するとともに前記裏面６ｃに向かって拡大する拡大開口部６ｂ２と、前記連通部６ｂ１に形成された角部である係止受部６ｂ３とを有している。
【００１４】
そして、このカメラ用貫通部６ｂに、前記外付けレンズ１１が着脱可能に取り付けられている。外付けレンズ１１は、マクロ機能、ワイド機能、テレコン機能等の何れかの機能を持つレンズであり、前記係止受部６ｂ３に係止する一対の係止爪１１ａを備えている。これら係止爪１１ａは弾性を有しており、係止受部６ｂ３への係止を解いて外せるようになっている。また、外付けレンズ１１は、ケース６の裏面６ｃ側からカメラ用貫通部６ｂに押し込むことで、外付けレンズ１１の外形の一部をなすテーパー形状部分が前記拡大開口部６ｂ２に合致するとともに各係止爪１１ａが前記係止受部６ｂ３に係止し、がたつきなく固定されるようになっている。
したがって、外付けレンズ１１は、ユーザーの好みに応じて、マクロ機能、ワイド機能、テレコン機能等の何れかの機能を有する他のレンズに容易に交換することが可能となっている。
【００１５】
また、図５（ａ）に示すように、前記拡大開口部６ｂ２には、前記マイクロフォン１０に連通するマイク穴６ｂ４が形成されている。また、マイク穴６ｂ４はカメラ用貫通部６ｂに開口し、この開口部より拡大開口部６ｂ２に延びる導音溝６ｄ２及び凹部６ａ１に延びる導音溝６ｄ１とそれぞれ連通している。このため、操作側筐体２の裏面６ｃからの音を集音することができると共に、操作側筐体２と表示側筐体４とを開いたときには操作側筐体２の前面６ａからの音も集音することができるようになっている。
【００１６】
図１（ａ）及び図５（ａ）に示すように、ケース６の前面６ａには、カメラ用貫通部６ｂの部分も含めてその左右に凹部６ａ１が形成されている。この凹部６ａ１は、表示側筐体４及び操作側筐体２間を重ね合わせた状態でカメラユニット５を回転させたり、または、操作側筐体２に対して表示側筐体４を重ね合わせる際に、カメラユニット５が前面６ａに接触して動作を妨げるのを防ぐべく、カメラユニット５を避けるように形成されている。これにより、表示側筐体４及び操作側筐体２間の重ね合わせ動作や、カメラユニット５の回転動作を、スムーズに行うことが可能となっている。
【００１７】
前記キーボタン１は、電源ＯＮキーボタンや電源ＯＦＦキーボタン、各種ファンクションキーボタン、十字ファンクションキーボタン、数字キーボタン、そしてシャッターボタンなどにより構成されており、操作性を考慮して前記前面６ａから押圧部分が所定量突出するように設けられている。なお、これら各ボタンのうち、シャッターボタンなど、操作側筐体２に表示側筐体４を重ね合わせた状態でも操作する必要があるものについては、隠れて操作できないことがないように、操作側筐体２の側方に配置されている（図示略）。
【００１８】
前記回転軸１２は、前面６ａに対して垂直に立設された軸体であり、その軸線回りに回動可能に表示側筐体４を連結することが可能となっている。すなわち、本実施形態の携帯電話は、操作側筐体２及び表示側筐体４を重ね合わせた状態及び展開させた状態の何れにおいてもキーボタン１と前記液晶ディスプレイ３が略同一方向を向き、なおかつ、重ね合わせた状態では表示側筐体４が操作側筐体２のキーボタン１を覆うように連結される回転式となっている。
【００１９】
図１及び図２に示すように、表示側筐体４は、ケース１３と、このケース１３の前面１３ａ側に露出するように配置された前記液晶ディスプレイ３と、受信音声等を発するスピーカ１４と、撮影を行う前記カメラユニット５とを備えて構成されている。
ケース１３は、その前面（一方の面）１３ａが前記ケース６の前面６ａと略同じ大きさを有する略平板状の外形を有しており、液晶ディスプレイ３、スピーカ１４、及びカメラユニット５を内蔵している。
【００２０】
カメラユニット５は、操作側筐体２及び表示側筐体４を互いに重ね合わせたときに、前記外付けレンズ１１と対向するように配置され、しかも、液晶ディスプレイ３が露出している前面１３ａ側、または、その反対である裏面（他方の主面）１３ｂ側の何れか一方を選択的に向くよう、回転可能に支持されている。すなわち、図５（ａ）に示すように、液晶ディスプレイ３に対向する被写体（例えばユーザー自身）に向けたり、または、図５（ｂ）に示すように、カメラ用貫通部６ｂを介して前記裏面６ｃに対向する被写体（ユーザーに対向する被写体）に向けたりすることが可能となっている。なお、このカメラユニット５の回転動作は、そのレンズに直接触れるのではなく、カメラユニット５に一体に設けられたダイヤル（図示略）等を指で回転させることにより行われる。
【００２１】
以上説明の構成を有する本実施形態の携帯電話を用いた撮影方法について以下に説明を行う。まず、図１及び図２に示すように、操作側筐体２に対して表示側筐体４を回転軸１２回りに回転させて展開させた状態での撮影方法について説明する。
まず、携帯電話を操作するユーザーは、これを、液晶ディスプレイ３が見えるように手前側に向けて保持する。そして、ユーザー自身を自分撮影する場合には、カメラユニット５を指等で回して撮影窓２２を自らに向ける（すなわち、液晶ディスプレイ３とカメラユニット５の撮影窓２２とが共に撮影者側を向くようにする。）。そして、液晶ディスプレイ３に映し出されている自らの映像を確認しながら構図を決め、前記シャッターボタンを押す。これにより、液晶ディスプレイ３に映し出された映像と同じ画像が撮影部２１により撮影される。
【００２２】
また、携帯電話を間に挟んでユーザーに対面する被写体を撮影する場合には、携帯電話を操作するユーザーが、液晶ディスプレイ３が見えるように手前側に向けて保持した後、カメラユニット５を指等で回して撮影窓２２を対向する被写体側に向ける。そして、液晶ディスプレイ３に映し出されている被写体の映像を確認しながら構図を決め、前記シャッターボタンを押す。これにより、液晶ディスプレイ３に映し出された映像と同じ画像が撮影部２１により撮影される。
【００２３】
次に、図３及び図４に示すように、操作側筐体２に対して表示側筐体４を回転軸１２回りに回転させて重ね合わせた状態での撮影方法について説明する。
まず、携帯電話を操作するユーザーは、これを、液晶ディスプレイ３が見えるように手前側に向けて保持する。そして、ユーザー自身を自分撮影する場合には、カメラユニット５を指等で回して撮影窓２２を自らに向ける（すなわち、液晶ディスプレイ３とカメラユニット５の撮影窓２２とが共に撮影者側を向くようにする。）。そして、液晶ディスプレイ３に映し出されている自らの映像を確認しながら構図を決め、前記シャッターボタンを押す。これにより、液晶ディスプレイ３に映し出された映像と同じ画像が撮影部２１により撮影される。
【００２４】
また、携帯電話を間に挟んでユーザーに対面する被写体を撮影する場合には、携帯電話を操作するユーザーが、液晶ディスプレイ３が見えるように手前側に向けて保持した後、カメラユニット５を指等で回して撮影窓２２を、外付けレンズ１１を介して対向する被写体側に向ける。そして、液晶ディスプレイ３に映し出されている被写体の映像を確認しながら構図を決め、前記シャッターボタンを押す。これにより、液晶ディスプレイ３に映し出された映像と同じ画像が撮影部２１により撮影される。
【００２５】
このときに撮影部２１が撮影する映像は、何も介さずにそのまま撮影する場合に比較して、外付けレンズ１１を介在させる分、この外付けレンズ１１の機能（マクロ機能、ワイド機能、テレコン機能等の機能等）に応じて倍率等が変更されるようになる。したがって、例えば拡大倍率の高い外付けレンズ１１を予め取り付けておくことにより、ユーザー及び携帯電話間の距離よりも離れた距離にある被写体を写しても、被写体の写りが小さくなってしまうのを防ぐことが可能となる。したがって、ユーザーは、対向する被写体を撮影する際に、外付けレンズ１１を通すか否かを選択することにより、被写体をワイドに、または拡大して写すことが選択可能となっている。したがって、表示側筐体４と及び操作側筐体２間を開いた状態と重ね合わせた状態とのそれぞれにおける最適な撮影倍率を個別に設定しておくことができるので、撮影方向をユーザー側から対向する被写体側に変えたときの撮影サイズのミスマッチを解消することが可能となっている。
【００２６】
なおかつ、本実施形態の携帯電話は、操作側筐体２に対して表示側筐体４を重ね合わせた状態でも、撮影部２１が、対向する操作側筐体２を貫いて被写体を撮影するものであるため、表示側筐体４を、操作側筐体２で撮影窓２２の視界が遮られないように長くせずに済む。これにより、表示側筐体４の筐体サイズを大きくせずに済むので、全体寸法の小型化が可能となる。
また、本実施形態の携帯電話によれば、操作側筐体２と表示側筐体４を互いに重ね合わせた場合と展開させた場合との何れの状態においても、ユーザーは常に液晶ディスプレイ３に映し出される映像を確認しながら撮影することが可能となる。
【００２７】
このように、本実施形態の携帯電話によれば、一の筐体に回転可能なカメラユニットを有することから、両筐体を開いた状態において表示部を見ながらユーザー自身及びユーザーと反対側にある被写体をそれぞれ撮影することができる。
また、他の筐体には貫通部を設け、両筐体が閉じた状態では貫通部がカメラユニットの撮影窓と対向するようにしてあるため、閉じた状態においても表示部を見ながらユーザー自身及びユーザーと反対側の被写体をそれぞれ撮影することができると共に、カメラユニットを備える一の筐体の長さを長くしなくて済む。
さらに、貫通部には光学部材を備えるため、ある被写体を撮影する場合、開いた状態では、カメラユニットにより撮影することができ、閉じた状態では、光学部材を通してカメラユニットにより撮影することができるため、撮影倍率の異なる画像を撮影することができる。
【００２８】
また、ユーザーと反対側にある被写体を表示部で確認しながら撮影する場合に、光学部材を通さない撮影と、光学部材を通した撮影を行うことができるため、ユーザー自身を撮影する場合と比較して焦点距離の長い被写体や焦点距離の短い被写体でも撮影することができる。
さらに、第１の筐体の一方の主面側及び他方の主面側からの音をそれぞれ集音することができるため、ユーザー自身及びユーザーと反対側にある被写体の動画撮影を行うこともできる。
【００２９】
【発明の効果】
以上のように、本発明によれば、携帯端末装置の全体寸法を大型化せずに、簡単な構造で撮影倍率の異なる撮影を行うことができる。
【図面の簡単な説明】
【図１】本発明の携帯端末装置の第１実施形態である携帯電話を示す図であって、（ａ）が開状態時の外観を示す正面図であり、（ｂ）がその背面図である。
【図２】図１（ａ）のＡ−Ａ断面図である。
【図３】図１の携帯電話を示す図であって、（ａ）が重ね合わせた閉状態時の外観を示す正面図であり、（ｂ）がその背面図である。
【図４】図３（ａ）のＢ−Ｂ断面図である。
【図５】図４のＣ部を示す拡大図であって、（ａ）がカメラユニットの撮影窓を撮影者側に向けた状態の図、（ｂ）がカメラユニットの撮影窓を被写体側に向けた状態の図である。
【符号の説明】
１・・・キーボタン（主操作部）
２・・・操作側筐体（第１の筐体）
３・・・液晶ディスプレイ（表示部）
４・・・表示側筐体（第２の筐体）
５・・・カメラユニット
６ｂ・・・カメラ用貫通部（貫通部）
１１・・・外付けレンズ（光学部材）
【図１】
2004357223.tif 000003
【図２】
2004357223.tif 000004
【図３】
2004357223.tif 000005
【図４】
2004357223.tif 000006
【図５】
2004357223.tif 000007